(57)【要約】【課題】頭部と頸部を特有に担持するために水の配分特性を改良した水ベースの枕を提供可能とする。【解決手段】水ベースの枕が、異なる流動体担持および流動体動態特性を有する二つの細長形状に分割されている共通流動体保有袋体を含んでいる。第１の領域は連続している一方、第２の領域は袋体の反対側にあり一連の熱密着台座を有する。これら熱密着台座は、第２の領域に保有される流動体量を削減する。この第２領域は、好ましくは、頭部担持領域であり、負荷を受ける。ある流動体は、この領域から位置を変えて第１領域に入る。袋体の流動体量はユーザの頭部の下で流動体の薄手の層を形成するように調整され設定される。【選択図】図３
2007536955.tif 000002
【特許請求の範囲】
【請求項１】
外装の布団地覆い、前記布団地覆いの内部に入れられる充填材料、および前記布団地の内部で流動体を保有する流動体保有の袋体により構成される枕であって、
流動体保有の前記袋体が、第１の細長状担持部分および第２の細長状担持部分それぞれで役割を明確化するように分割されており、
前記第１の細長状担持部分が、連続する密着帯により長手方向の縁端に沿って結合されると共に、その反対側の長手方向縁端ではその縁端に沿って前記第２の細長状担持部分と流動体で連結されるようにその部分が開放されており、
前記第２の細長状担持部分が、当該第２の細長状担持部分に保有される流動体の量を前記第１の細長状担持部分と比較して制限する長さおよび幅さをもって前記袋体を接合する一連の中間密着部を有し、
前記袋体に保有される流動体を有する前記第１の細長状担持部分が、前記枕が人体の頭部および頸部を担持するのに使用されるとき、前記第２の細長状担持部分と比較してより一層反応性がありかつ厚さ方向に更に高い変動性を有する
ことを特徴とする枕。
【請求項２】
請求項１に記載の枕において、前記第１の細長状担持部分が頸部担持部分であり、かつ前記第２の細長状担持部分が頭部担持部分であることを特徴とする枕。
【請求項３】
請求項１に記載の枕において、前記一連の中間密着部が一連の熱密着台座を含み、当該一連の熱密着台座が熱密着台座それぞれを有して前記袋体の連結領域を形成する前記第２の細長状担持部分を通じて分配されることを特徴とする枕。
【請求項４】
請求項３に記載の枕において、前記熱密着台座それぞれは、丸みを帯びた細長形状であることを特徴とする枕。
【請求項５】
請求項１に記載の枕において、前記袋体は、通常長方形であり、前記第１の細長状担持部分の一方の端部近辺に備えられる一つの充填プラグを有することを特徴とする枕。
【請求項６】
請求項５に記載の枕において、前記第１の細長状担持部分および前記第２の細長状担持部分が、ほぼ同一の面積であることを特徴とする枕。
【請求項７】
請求項１に記載の枕において、前記袋体が、前記布団地覆いに付着していることを特徴とする枕。
【請求項８】
請求項１に記載の枕において、前記袋体が、二重内壁の厚さのものであることを特徴とする枕。
【請求項９】
請求項４に記載の枕において、前記一連の熱密着台座が、前記袋体の長さ方向の一方の縁端近辺の第1の一連台座と、当該第1の一連台座近くで前記一方の長さ方向の縁端から離れている第２の一連台座とを含むことを特徴とする枕。
【請求項１０】
請求項３に記載の枕において、前記密着台座それぞれが、密着されていない部分を取り囲む周囲密着帯を有することを特徴とする枕。
【請求項１１】
請求項９に記載の枕において、前記第1の一連台座が、少なくとも四つの台座を含むことを特徴とする枕。
【請求項１２】
請求項１１に記載の枕において、前記第２の一連台座が、少なくとも三つの台座を含むことを特徴とする枕。
【請求項１３】
請求項１２に記載の枕において、各台座が、ほぼ３ｃｍの長さを有することを特徴とする枕。
【請求項１４】
請求項１３に記載の枕において、前記第２の一連台座が、前記袋体を横切る弧形状パターンでかつ前記袋体の中央部に位置することを特徴とする枕。
【発明の詳細な説明】
【技術分野】
【０００１】
本発明は、水枕に関し、特に、袋体内部に保存される水溶液担持層を所望の分布とする水枕に関するものである。
【背景技術】
【０００２】
水をベースとする枕は私自身の米国特許第４，８４７，９３１号及び米国特許第４，８９６，３８８号で開示されており、この特許では、水袋体が、枕の基部近辺に位置して、その上部に圧縮可能な充填材料を担時している。この枕は、成功裏にあると完全に立証しており、頭痛や頸痛を病む人々を援助することが分っている。
【０００３】
別の枕は、圧縮可能な充填材料を担時するために、空気袋を用いているが、これらの枕は、特別な効果を立証していない。加えて、いくつかの枕は、中の流動体分布を加減するための仕切り又は部分的密着部を有する流動体保持袋体を枕の中に用いている。例えば、私の同時係属カナダ国特許第２，３１４，４４０号は、異なる密着領域が袋体内での流動体の分布および流動体の流れを加減するために設けられている多くの袋体デザインを開示している。
【０００４】
水のような流動体を受け入れる袋体を有する枕では、流動体担持および流動体流動の同一の望ましい特性を提供する枕のために必要な流動体量を削減するようにその袋体を調整することが望ましい出願がある。流動体の削減は、枕の重さを削減するであろうし、また流動体層の熱量をも削減する。
【０００５】
満足する機能及び削減された重さを有する水枕の生産のための多くの試みが提案されているが、これらの試みは成功していない。
【０００６】
本発明は、頭部と頸部を特有に担持するために水の配分特性を改良した水ベースの枕を提供する。
【０００７】
【特許文献１】米国特許第４，８４７，９３１号
【特許文献２】米国特許第４，８９６，３８８号
【特許文献３】カナダ国特許第２，３１４，４４０号
【発明の開示】
【発明が解決しようとする課題】
【０００８】
解決しようとする課題は、満足する機能及び削減された重量を有する水枕の生産のための試みが成功していないことである。
【課題を解決するための手段】
【０００９】
本発明は、頭部と頸部を特有に担持するために水の配分特性を改良した水ベースの枕を提供することを目的とする。
【００１０】
本願発明による枕は、外装布団地覆い、その布団地覆い内部に入れられる充填材料、およびその布団地内部で流動体を保有する袋体により構成される。その流動体保有袋体は、頸部担持部分および頭部担持部分それぞれの役割を明確化するように分割されている。頸部担持部分は、連続する密着帯により長手方向の縁端に沿って結合されると共に、その反対側の長手方向縁端では縁端に沿って頭部担持部分と流動体で連結されるようにその部分が開放されている。頭部担持部分は一連の中間密着部を有し、その密着部は、頭部担持部分に保有される流動体の量を頸部担持部分と比較して制限する長さおよび幅さをもって上記袋体を接合する。上記袋体に保有される流動体を有する頸部担持部分は、枕が人体の頭部および頸部を担持するのに使用されるときには、頭部担持部分と比較して一層反応性がありかつ厚さ方向に一層高い変動性を有する。
【００１１】
本発明の態様によれば、頭部担持部分は、頭部担持部分で間隔を置いて熱密着された一連の台座を含み、その熱密着された一連の台座それぞれは、上記袋体の結合領域を形成する。
【００１２】
また、本発明の更なる態様においては、熱密着された一連の台座それぞれは、丸みを帯びた細長形状である。
【００１３】
また、本発明の更なる態様においては、熱密着された一連の台座それぞれは、密着されていない部分を取り囲む周囲密着帯を有する。
【００１４】
また、本発明の更なる態様においては、袋体は、通常、長方形を成し、頸部部分の一方の端部近辺に備えられる一つの充填プラグを有する。
【００１５】
また、本発明の更なる態様においては、頸部担持部分および頭部担持部分は、通常、袋体を長さ方向で等分割する。
【００１６】
また、本発明の更なる態様においては、枕は細長形状であり、頸部担持部分および頭部担持部分のそれぞれが細長形状である。
【００１７】
また、本発明の更なる態様においては、熱密着された一連の台座は、袋体の長さ方向の一方の縁端近辺の第1の一連台座と、この第1の一連台座近くで上記一方の長さ方向の縁端から離れている第２の一連台座とを含む。
【００１８】
本発明の更なる態様においては、熱密着される密着可能な台座は、密着されていない部分を取り囲み連続して周囲を密着する部分を含む。
【００１９】
また、本発明の更なる態様においては、上記第１の一連台座は少なくとも四つの台座を含む。
【００２０】
本発明の更なる態様においては、上記第２の一連台座は少なくとも三つの台座を含む。
【００２１】
本発明の更なる態様によれば、各台座は、ほぼ３ｃｍの長さを有する。
【００２２】
また、本発明の更なる態様においては、上記第２の一連台座は、袋体を横切る弧形状パターンでかつその袋体の中央部に位置する。
【発明を実施するための最良の形態】
【００２３】
図３および図５に示される水ベースの枕２は布団地覆い４を有する。布団地覆い４は、典型的には、綿または他の適切な布地である。流動体保有袋体８は、好ましくは縫い目または他の適切な保証をもって覆いの底面６に付着されている。圧縮可能な充填材料９は、流動体保有袋体の上部に備えられ、繊維質、泡状物質、羽毛、または他の適切な材質とすることができる。流動体保有袋体８と布団地覆い４との間には熱反射層１０が位置している。この熱反射層は、もし、腕または他の部分が枕の真下に挿入されるならば、袋体内の流動体のヒートシンク特性を人体の皮膚から隔離するのに役立つ。同様の熱反射層１１が好ましくは袋体の天井側に備えられる。この層は熱防壁を形成すると共に、流動体保有袋体８を保護するのにもまた役立つ。
【００２４】
図３に示されるように袋体８は、熱密着された第１の一連台座７０および第２の一連台座７２を有する。これら台座は、細長い袋体８の上方部分７３の近辺に備えられ、袋体の上部との組合せで総合的に決定される。袋体の上部は、通常、図５に「７４」として示される頭部担持領域である。この頭部担持領域は、頭部担持領域の一方の側に直接備えられる細長い頸部担持領域７６とは対照位置にある。頸部担持領域７６の袋体は、内部熱密着台座をなにも含まないので、枕にかかる負荷の変動に一層よく反応できる。特に、頸部担持の袋体の高さの変動性および流動体の流動特性は、頭部担持領域に比べて一層明言されている。頭部担持領域真下の袋体は、熱密着された台座７０および台座７２によって更に少ない水量を有することになり、そして流動体の流れによる高さの変動性は熱密着された台座によってもまた制限を受ける。
【００２５】
図５から理解できるように、頸部担持領域７６は、負荷を受けた際に、その長さ方向に本質的に厚さを変化させることができる。しかし、熱密着された台座は、頭部担持領域７４で高さの変動を制限するために役立つ。この配列は、頭部担持部分から場所を変える流動体が頸部担持部分に移動し、ユーザの頸部を抱き包むとして、特に効果的なことが判明している。頸部担持部分の流動体は、位置の変化に非常によく反応しそして穏やかなマッサージ動作を行う。頭部担持領域７４に保有される流動体量は少なめであり、この流動体はやや少なめの反応である。この流動体の削減および抑制された反応が特に面倒なことではなく、その流動体が頸部担持領域を対象にしているということが明らかになっている。そこでは、付加的担持が有益でありそしてしばしば癒し系であることが判明している。また、担持負荷の変化による流動体流れの変動が、この袋体によって一層早く消散する傾向にある。
【００２６】
図２および図３の斜視図に示されるように、各熱密着台座７２は、通常細長であり、中央の密着されていない部分７５の周囲を囲む周囲密着帯７３を有している。この熱密着構造は、素晴らしく効果があって、高圧への大きな許容範囲を減少させるかまたはそれを有する。この許容範囲により、袋体の裂傷または損傷に関する問題を避けることができる。その台座周囲密着帯が熱密着領域を拡張し高い圧力点を低減すると信じられている。第１の一連台座７０は、長方形熱密着縁端帯８２からほぼ４インチはなれた位置に４つの台座を有する。第２の一連台座７２は、５つの台座を有し、それぞれの台座が上記第１の一連台座の台座間に位置している。この第２の一連台座それぞれは、外側の台座が袋体の基板部にやや近接するように弧状のパターンで配置されている。頭部担持領域と頸部担持領域とは袋体８を長さ方向に通常同等に分割している。好ましくは、熱密着台座は、高圧力点を低減させるのに効果的であるとされているインゲン豆形の周囲密着帯を有することがよい。
【００２７】
この構成により、袋体８の頭部部分７４の内部に浮遊される流動体は顕著に削減されるので、枕の重量と枕の熱量が本質的に低減される。この達成された削減流動体量により、ユーザの頸部を担持する流動体袋体による包み込みまたは抱き込みの作用を犠牲にすることはない。同様に、頸部担持領域は、頭部担持領域と流動体で効率よく連結されたままである。台座密着部の使用は、この効率よい流動体連結を可能とするうえ、所望される担持を提供することを可能とする。枕の流動体動態は、頭部担持領域での流動体量の削減の結果、わずかに弱められている。しかしながら、薄手の流動体層上でのユーザ頭部に所望される担持は頸部の抱き込み担持との連携で維持されている。何人かのユーザもまた、弱められた反応の枕を好むかもしれない。この流動体の反応および担持もまた、充填量を調整することによって変化させられる。熱密着領域と熱密着部外縁周辺からの空間との配置は枕の期待寿命のため袋体の完全状態を維持するのに役立つことが判明している。
【００２８】
一部変更された水ベースの枕２として、限定された流動体量および限定された流動体の流れを有する好ましい頭部担持領域並びに上記頸部担持領域についての態様が記載されている。それは、頭部担持領域と頸部担持領域とを反転させる反転位置で枕を使用することが可能なことである。ユーザは、例えば、「頸部担持部分」の反応可能な頸部抱き込み作用を望まない場合、この反転位置の好ましいことが分るかもしれない。このように、その頭部担持部分は削減された流動体と一層少なく反応する流動体動態との細長部分であり、その頸部担持部分は、更に流動的なかつ高い流動体動態を有する細長部分である。
【００２９】
ここに、本発明による様々な好ましい実施態様の詳細が記載されているが、それは当業者に評価されるであろう。その変更は、本発明の趣旨と添付の請求項による請求の範囲から逸脱しないかぎり可能である。
【図面の簡単な説明】
【００３０】
【図１】枕の斜視図である。
【図２】流動体保有袋体の密着部領域を示す部分斜視断面図である。
【図３】内部にいくらかの流動体を保有する袋体の斜視図である。
【図４】枕の部分分解組立図である。
【図５】枕の断面図である。
【図１】
2007536955.tif 000003
【図２】
2007536955.tif 000004
【図３】
2007536955.tif 000005
【図４】
2007536955.tif 000006
【図５】
2007536955.tif 000007
【国際調査報告】
2007536955.tif 000008
2007536955.tif 000009
2007536955.tif 000010